(57)【要約】  本明細書に提供されるのは、エネルギーを蓄積するためのシステム及び方法である。フォトン電池アセンブリは、光源、燐光物質、及び光電池を含み得る。燐光物質は、光源から第１の波長の光エネルギーを吸収し、及びある時間遅延後に、ある時間遅延後に第２の波長の光エネルギーを放出し得る。光電池は、第２の波長の光エネルギーを吸収し、及び電力を生成し得る。幾つかの例では、放射性物質は、高エネルギー粒子を放出し、及び燐光物質は、高エネルギー粒子から運動エネルギーを吸収し得る。【選択図】図３
2020523799.tif 000002
【特許請求の範囲】
【請求項１】
エネルギーを蓄積するためのシステムにおいて、
光源の表面から第１の波長の光エネルギーを放出するように構成された前記光源と、
前記光源の前記表面に隣接する燐光物質であって、前記燐光物質が、（ｉ）前記第１の波長の前記光エネルギーを吸収し、及び（ｉｉ）吸収速度よりも遅い速度で、第２の波長の光エネルギーを放出するように構成され、前記第２の波長が、前記第１の波長よりも大きい、燐光物質と、
前記燐光物質に隣接する光電池であって、（ｉ）前記光電池の表面を通して前記第２の波長の光エネルギーを吸収し、及び（ｉｉ）光エネルギーから電力を生成するように構成された光電池と、
を含むシステム。
【請求項２】
前記光源が発光ダイオード（ＬＥＤ）である、請求項１に記載のシステム。
【請求項３】
前記光電池が、電気負荷に電気的に結合され、及び前記光電池によって生成された前記電力の少なくとも一部が、前記電気負荷に電力を供給する、請求項１に記載のシステム。
【請求項４】
前記光電池が、前記光源に電気的に結合され、及び前記光電池によって生成された前記電力の少なくとも一部が、前記光源に電力を供給する、請求項１に記載のシステム。
【請求項５】
再充電可能電池が、前記光源及び前記光電池に電気的に結合され、前記光電池によって生成された前記電力の少なくとも一部が、前記再充電可能電池を充電し、並びに、前記再充電可能電池によって放電された電力の少なくとも一部が、前記光源に電力を供給する、請求項１に記載のシステム。
【請求項６】
前記燐光物質が、アルミン酸ストロンチウム及びユーロピウムを含む、請求項１に記載のシステム。
【請求項７】
高エネルギー粒子を放出する放射性物質をさらに含み、前記高エネルギー粒子が、前記燐光物質中を移動することが可能であり、前記燐光物質が、（ｉ）前記高エネルギー粒子から運動エネルギーを吸収し、及び（ｉｉ）運動エネルギーの吸収の速度よりも遅い速度で、前記第２の波長の光エネルギーを放出するように構成された、請求項１に記載のシステム。
【請求項８】
前記燐光物質が、前記放射性物質を含む、請求項７に記載のシステム。
【請求項９】
前記光電池が、凸部間に複数の凹部を含み、及び前記光電池の前記表面が、凹部を定義する凸部の表面である、請求項１に記載のシステム。
【請求項１０】
エネルギーを蓄積するための方法において、
（ａ）光源の表面から第１の波長の光エネルギーを放出することと、
（ｂ）前記光源の前記表面に隣接する燐光物質によって、前記第１の波長の前記光エネルギーを吸収することと、
（ｃ）吸収速度よりも遅い速度で、前記燐光物質によって第２の波長の光エネルギーを放出することであって、前記第２の波長が前記第１の波長よりも大きいことと、
（ｄ）光電池の表面を通して前記第２の波長の前記光エネルギーを吸収することであって、前記光電池の前記表面が、前記蛍光体に隣接することと、
（ｅ）前記第２の波長の前記光エネルギーから電力を生成することと、
を含む方法。
【請求項１１】
前記光源が発光ダイオード（ＬＥＤ）である、請求項１０に記載の方法。
【請求項１２】
前記電力を用いて、前記光電池に電気的に結合された電気負荷に電力を供給することをさらに含む、請求項１０に記載の方法。
【請求項１３】
前記電力の少なくとも一部を用いて、前記光源に電力を供給することをさらに含み、前記光源が、前記光電池に電気的に結合される、請求項１０に記載の方法。
【請求項１４】
（ｉ）前記電力の少なくとも一部を用いて、再充電可能電池を充電することであって、前記再充電可能電池が前記光電池に電気的に結合されることと、（ｉｉ）前記再充電可能電池によって放電された電力の少なくとも一部を用いて、前記光源に電力を供給することであって、前記再充電可能電池が前記光源に電気的に結合されることとをさらに含む、請求項１０に記載の方法。
【請求項１５】
前記光電池が、凸部間に複数の凹部を含み、及び前記光電池の前記表面が、凹部を定義する凸部の表面である、請求項１０に記載の方法。
【請求項１６】
エネルギーを蓄積するための方法において、
（ａ）放射性物質から高エネルギー粒子を放出することであって、前記高エネルギー粒子が燐光物質中を移動することと、
（ｂ）前記燐光物質によって、前記高エネルギー粒子から運動エネルギーを吸収することと、
（ｃ）前記運動エネルギーの吸収速度よりも遅い速度で、前記燐光物質によって光エネルギーを放出することと、
（ｄ）光電池の表面を通して前記光エネルギーを吸収することであって、前記光電池の前記表面が、前記蛍光体に隣接することと、
（ｅ）前記光エネルギーから電力を生成することと、
を含む方法。
【請求項１７】
前記放射性物質が前記燐光物質に隣接する、請求項１６に記載の方法。
【請求項１８】
前記燐光物質が前記放射性物質を含む、請求項１６に記載の方法。
【請求項１９】
前記電力を用いて前記光電池に電気的に結合された電気負荷に電力を供給することをさらに含む、請求項１６に記載の方法。
【請求項２０】
前記光電池が、凸部間に複数の凹部を含み、及び前記光電池の前記表面が、凹部を定義する凸部の表面である、請求項１６に記載の方法。
【発明の詳細な説明】
【技術分野】
【０００１】
関連出願の相互参照
[0001]  本出願は、２０１７年４月２１日に出願された米国特許出願第１５／４９３，８２３号の便益を主張するものであり、その出願は全体として参照のために本明細書に援用される。
【背景技術】
【０００２】
背景
[0002]  特に、非常に多くの活動及び機能が、継続的な電力供給に依存する時代においては、電力提供の喪失又は遮断は、非常に望ましくない結果をもたらし得る。近年、バッテリ、超コンデンサ、燃料電池、及び他のエネルギー蓄積デバイスなどにおいて、容易に入手可能な電力の市場が急成長している。しかし、このようなエネルギー蓄積デバイスは、多くの面で制限されていることが多い。例えば、それらは、特定の動作条件（例えば、温度、圧力）下では、揮発性又は不安定となる場合があり、及び非効果的となり、又は安全上の危険をもたらす場合がある。場合によっては、エネルギー蓄積デバイス自体が、エネルギーを変換又は蓄積する１つ又は複数のサイクル中に消費される場合があり、及びその結果、限られた寿命を有する場合がある。場合によっては、電力消費速度を効果的にサポートし、又は満足させるには、充電速度が遅すぎる場合がある。
【発明の概要】
【発明が解決しようとする課題】
【０００３】
概要
[0003]  ここで認識されるのは、エネルギーを蓄積するための信頼性のあるシステム及び方法の必要性である。本明細書で開示するエネルギーを蓄積するためのシステム及び方法は、従来の化学電池の充電速度よりも例えば約１００倍以上速い優れた充電速度を提供し得る。本明細書に開示するシステム及び方法は、従来の化学電池の寿命よりも例えば約１０倍以上多い再充電サイクルの優れた寿命を提供し得る。本明細書に開示するシステム及び方法は、可搬となり得る。本明細書に開示するシステム及び方法は、比較的低い動作温度条件において、安定し、及び効果的となり得る。
【課題を解決するための手段】
【０００４】
[0004]  本明細書に開示するシステム及び方法は、燐光物質を使用して、限られた期間にわたりエネルギーを蓄積し得る。例えば、燐光物質は、エネルギーを蓄積し、及び／又はかなりの時間遅延を有してエネルギーを変換し得る。本明細書に開示するシステム及び方法は、光源を使用して、光エネルギーの形態で初期エネルギー源を提供し得る。光源は、発光ダイオード（ＬＥＤ）などの人工光源でもよい。本明細書に開示するシステム及び方法は、光電池を使用して、光エネルギーから電力を生成し得る。幾つかの実施形態では、本明細書に開示するシステム及び方法は、放射性物質を使用して、燐光物質を励起（或いは刺激）し得る。
【０００５】
[0005]  ある態様では、提供されるのは、エネルギーを蓄積するためのシステムである。このシステムは、光源の表面から第１の波長の光エネルギーを放出するように構成された光源と、光源の表面に隣接する燐光物質であって、燐光物質が、（ｉ）第１の波長の光エネルギーを吸収し、及び（ｉｉ）吸収速度よりも遅い速度で、第２の波長の光エネルギーを放出するように構成され、第２の波長が、第１の波長よりも大きい、燐光物質と、燐光物質に隣接する光電池であって、（ｉ）光電池の表面を通して第２の波長の光エネルギーを吸収し、及び（ｉｉ）光エネルギーから電力を生成するように構成された光電池とを含み得る。
【０００６】
[0006]  幾つかの実施形態では、光源は、発光ダイオード（ＬＥＤ）である。
【０００７】
[0007]  幾つかの実施形態では、光電池は、電気負荷に電気的に結合される。幾つかの実施形態では、光電池によって生成された電力の少なくとも一部は、電気負荷に電力を供給する。
【０００８】
[0008]  幾つかの実施形態では、光電池は、光源に電気的に結合される。幾つかの実施形態では、光電池によって生成された電力の少なくとも一部は、光源に電力を供給する。
【０００９】
[0009]  幾つかの実施形態では、再充電可能電池は、光源及び光電池に電気的に結合される。幾つかの実施形態では、光電池によって生成された電力の少なくとも一部は、再充電可能電池を充電し、及び再充電可能電池によって放電された電力の少なくとも一部は、光源に電力を供給する。
【００１０】
[0010]  幾つかの実施形態では、第１の波長は、紫外線波長である。
【００１１】
[0011]  幾つかの実施形態では、第２の波長は、可視波長である。
【００１２】
[0012]  幾つかの実施形態では、燐光物質は、アルミン酸ストロンチウム及びユーロピウムを含む。
【００１３】
[0013]  幾つかの実施形態では、このシステムは、高エネルギー粒子を放出する放射性物質をさらに含み、高エネルギー粒子は、燐光物質中を移動することが可能であり、燐光物質は、（ｉ）高エネルギー粒子から運動エネルギーを吸収し、及び（ｉｉ）運動エネルギーの吸収速度よりも遅い速度で、第２の波長の光エネルギーを放出するように構成される。
【００１４】
[0014]  幾つかの実施形態では、燐光物質は、放射性物質に隣接する。幾つかの実施形態では、燐光物質は、放射性物質を含む。幾つかの実施形態では、放射性物質は、ストロンチウム９０である。
【００１５】
[0015]  幾つかの実施形態では、光電池は、凸部間に複数の凹部を含み、及び光電池の表面は、凹部を定義する凸部の表面である。
【００１６】
[0016]  別の態様では、提供されるのは、エネルギーを蓄積するための方法である。この方法は、光源の表面から第１の波長の光エネルギーを放出することと、光源の表面に隣接する燐光物質によって、第１の波長の光エネルギーを吸収することと、吸収速度よりも遅い速度で、燐光物質によって第２の波長の光エネルギーを放出することであって、第２の波長が第１の波長よりも大きいことと、光電池の表面を通して第２の波長の光エネルギーを吸収することであって、光電池の表面が、蛍光体に隣接することと、第２の波長の光エネルギーから電力を生成することとを含み得る。
【００１７】
[0017]  幾つかの実施形態では、光源は、発光ダイオード（ＬＥＤ）である。
【００１８】
[0018]  幾つかの実施形態では、この方法は、電力を用いて、光電池に電気的に結合された電気負荷に電力を供給することをさらに含み得る。例えば、電気負荷は、携帯デバイスでもよい。別の例では、電気負荷は、電気自動車でもよい。
【００１９】
[0019]  幾つかの実施形態では、この方法は、電力の少なくとも一部を用いて、光源に電力を供給することをさらに含んでもよく、光源は、光電池に電気的に結合される。
【００２０】
[0020]  幾つかの実施形態では、この方法は、電力の少なくとも一部を用いて、再充電可能電池を充電することをさらに含んでもよく、再充電可能電池は、光電池に電気的に結合される。幾つかの実施形態では、この方法は、再充電可能電池によって放電された電力の少なくとも一部を用いて、光源に電力を供給することをさらに含んでもよく、再充電可能電池は、光源に電気的に結合される。
【００２１】
[0021]  幾つかの実施形態では、第１の波長は、紫外線波長である。
【００２２】
[0022]  幾つかの実施形態では、第２の波長は、可視波長である。
【００２３】
[0023]  幾つかの実施形態では、燐光物質は、アルミン酸ストロンチウム及びユーロピウムを含む。
【００２４】
[0024]  幾つかの実施形態では、光電池は、凸部間に複数の凹部を含み、及び光電池の表面は、凹部を定義する凸部の表面である。
【００２５】
[0025]  別の態様では、提供されるのは、エネルギーを蓄積するための方法である。この方法は、放射性物質から高エネルギー粒子を放出することであって、高エネルギー粒子が燐光物質中を移動することと、燐光物質によって、高エネルギー粒子から運動エネルギーを吸収することと、運動エネルギーの吸収速度よりも遅い速度で、燐光物質によって光エネルギーを放出することと、光電池の表面を通して光エネルギーを吸収することであって、光電池の表面が、蛍光体に隣接することと、光エネルギーから電力を生成することとを含み得る。
【００２６】
[0026]  幾つかの実施形態では、放射性物質は、燐光物質に隣接する。
【００２７】
[0027]  幾つかの実施形態では、燐光物質は、放射性物質を含む。
【００２８】
[0028]  幾つかの実施形態では、この方法は、電力を用いて光電池に電気的に結合された電気負荷に電力を供給することをさらに含み得る。
【００２９】
[0029]  幾つかの実施形態では、光エネルギーは、可視波長を有する。
【００３０】
[0030]  幾つかの実施形態では、光電池は、凸部間に複数の凹部を含み、及び光電池の表面は、凹部を定義する凸部の表面である。
【００３１】
[0031]  本開示の追加の態様及び利点は、本開示の例示的な実施形態のみが図示及び説明される以下の詳細な説明から、当業者には容易に明らかとなるであろう。認識されるように、本開示は、他の異なる実施形態が可能であり、及びその幾つかの詳細は、全て本開示から逸脱することなく、様々な明白な点で変更が可能である。従って、図面及び説明は、限定的なものではなく、本質的に例示的なものと見なされるものである。
【００３２】
援用
[0032]  本明細書で言及される全ての公開公報、特許、及び特許出願は、個々の公開公報、特許、又は特許出願が具体的及び個別に援用されると示されるのと同じ程度に本明細書において援用される。
【００３３】
図面の簡単な説明
[0033]  本発明の新規の特徴は、添付の特許請求の範囲に詳細に記載される。本発明の特徴及び利点のより深い理解は、本発明の原理が利用される例示的実施形態を記載する以下の詳細な説明及び添付の図面（本明細書では、「図面（Figure）」及び「図（FIG.）」とも記載される）を参照して得られるであろう。
【図面の簡単な説明】
【００３４】
【図１】[0034]例示的フォトン電池アセンブリを示す。
【図２】[0035]電気負荷とやり取りするフォトン電池を示す。
【図３】[0036]応用された例示的フォトン電池アセンブリを示す。
【図４】[0037]ある程度自給的な例示的フォトン電池アセンブリを示す。
【図５】[0038]再充電可能電池とやり取りする例示的フォトン電池アセンブリを示す。
【図６】[0039]複数のフォトン電池アセンブリのスタックを示す。
【図７】[0040]フォトン電池アセンブリの例示的トレンチ構成の垂直断面図を示す。
【図８】[0041]フォトン電池アセンブリの例示的トレンチ構成の水平断面図を示す。
【図９】[0042]放射性物質を含むフォトン電池アセンブリを示す。
【図１０】[0043]燐光物質中に放射性物質を含むフォトン電池アセンブリを示す。
【図１１】[0044]フォトン電池にエネルギーを蓄積する方法を示す。
【図１２】[0045]放射性物質を使用したフォトン電池にエネルギーを蓄積する方法を示す。
【図１３】[0046]コンピュータ制御システムを示す。
【発明を実施するための形態】
【００３５】
詳細な説明
[0047]  本発明の様々な実施形態を本明細書に図示及び説明しているが、これらの実施形態は、単なる例として提供されるものであることが当業者には明らかとなるであろう。本発明から逸脱することなく、当業者は多数のバリエーション、変更、及び代用を思い付く可能性がある。本明細書に記載する本発明の実施形態の様々な代替形態が用いられ得ることが理解されるものとする。
【００３６】
[0048]  本明細書で提供されるのは、エネルギーを蓄積するためのシステム及び方法である。本明細書に開示するシステム及び方法は、燐光物質を使用して、燐光物質の時間遅延再発光特性を利用することなどによって、かなりの期間にわたりエネルギーを蓄積することができる。例えば、燐光物質は、エネルギーを蓄積し、及び／又はかなりの時間遅延を有してエネルギーを変換し得る。光源は、光エネルギーの形態で、初期エネルギー源を燐光物質に提供することができる。例えば、燐光物質は、第１の波長の光源から光エネルギーを吸収し、及びある時間遅延後に、第２の波長の光エネルギーを放出し得る。光源は、発光ダイオード（ＬＥＤ）などの人工光源でもよい。光電池は、光エネルギーから（燐光物質によって放出された第２の波長の光エネルギーなどから）電力を生成し得る。
【００３７】
[0049]  代替的又は追加的に、燐光物質は、運動エネルギーを吸収し、及びある時間遅延後に、光電池によって吸収される、運動エネルギーから変換された光エネルギーを放出し得る。例えば、放射性物質は、高エネルギー粒子（高運動エネルギーを有する）で燐光物質を励起し得る。場合によっては、燐光物質自体が、放射性物質を含み得る。
【００３８】
[0050]  本明細書に開示するエネルギーを蓄積するためのシステム及び方法は、従来の化学電池の充電速度よりも例えば約１００倍以上速い優れた充電速度を提供し得る。本明細書に開示するシステム及び方法は、従来の化学電池の寿命よりも例えば約１０倍以上多い再充電サイクルの優れた寿命を提供し得る。本明細書に開示するシステム及び方法は、可搬となり得る。本明細書に開示するシステム及び方法は、比較的低い動作温度条件において、安定し、及び効果的となり得る。
【００３９】
[0051]  これより図面を参照する。図面及び図面中の特徴は、必ずしも一定の縮尺で描かれていないことが認識されるであろう。
【００４０】
[0052]  図１は、例示的フォトン電池アセンブリを示す。フォトン電池アセンブリ１００は、光源１０１、燐光物質１０２、及び光電池１０３を含み得る。燐光物質は、光源及び光電池の両方に隣接し得る。例えば、燐光物質は、光源及び光電池によって挟まれ得る。燐光物質は、光源と光電池との間に存在し得る。図１は、垂直スタックとして、光源、燐光物質、及び光電池を示すが、構成はこれに限られない。例えば、光源、燐光物質、及び光電池は、水平にスタックされてもよく、又は同心円状にスタックされてもよい。光源及び光電池は、互いに隣接しても、或いはしなくてもよい。幾つかの例では、燐光物質は、光源の発光面に隣接し得る。幾つかの例では、燐光物質は、光電池の光吸収面に隣接し得る。
【００４１】
[0053]  隣接はするが、燐光物質１０２は、光源１０１に接触しても、或いはしなくてもよい。燐光物質及び光源が接触する場合には、燐光物質は、光源の発光面と境界面を成し得る。燐光物質及び光源は、締結機構などにより、境界面で共に結合又は締結され得る。幾つかの例では、光源を支える支持体及び／又は燐光物質を支える支持体が、境界面で共に結合又は締結され得る。締結機構の例には、限定されないが、形状嵌合ペア、フック及びループ、ラッチ、ステープル、クリップ、クランプ、プロング、リング、無頭釘、輪ゴム、リベット、グロメット、ピン、ひも、スナップ、ベルクロ、接着剤、テープ、これらの組み合わせ、又はその他のタイプの締結機構が含まれ得る。幾つかの例では、燐光物質は、接着特性及び／又は凝集特性を有し、並びに、独立した締結機構を用いずに光源に付着し得る。例えば、燐光物質は、光源の発光面上に塗布又はコーティングされ得る。幾つかの例では、燐光物質は、光源の一次光学系、二次光学系、及び／又は三次光学系上にコーティングされ得る。幾つかの例では、燐光物質は、光源の他の光学素子上にコーティングされ得る。燐光物質及び光源は、取り外せないように、又は取り外し可能に、共に締結され得る。例えば、燐光物質及び光源は、燐光物質及び／又は光源にダメージを与えることなく（又は最小限のダメージで）、フォトン電池アセンブリ１００から分解され、及びフォトン電池アセンブリ１００へと再アセンブルされ得る。代替的に、接触はするが、燐光物質及び光源は、共に締結されなくてもよい。
【００４２】
[0054]  燐光物質１０２及び光源１０１が接触しない場合には、燐光物質は、別の方法で、光源の発光面と光学的にやり取りし得る。例えば、燐光物質は、光源の発光面によって放出される光の光路に置かれ得る。幾つかの例では、燐光物質と光源との間に空隙が存在し得る。幾つかの例では、燐光物質と光源との間に別の中間層が存在し得る。中間層は、空気又は他の流体でもよい。中間層は、ライトガイド又は光学素子（例えば、レンズ、リフレクタ、拡散器、ビームスプリッタなど）の別の層でもよい。幾つかの例では、燐光物質と光源との間に複数の中間層が存在し得る。
【００４３】
[0055]  隣接はするが、燐光物質１０２は、光電池１０３に接触しても、或いはしなくてもよい。燐光物質及び光電池が接触する場合には、燐光物質は、光電池の光吸収面と境界面を成し得る。燐光物質及び光電池は、締結機構などにより、境界面で共に結合又は締結され得る。幾つかの例では、光電池を支える支持体及び／又は燐光物質を支える支持体が、境界面で共に結合又は締結され得る。幾つかの例では、燐光物質は、接着特性を有し、及び独立した締結機構を用いずに光電池に付着し得る。例えば、燐光物質は、光電池の光吸収面上に塗布又はコーティングされ得る。幾つかの例では、燐光物質は、光電池の一次光学系、二次光学系、及び／又は三次光学系上にコーティングされ得る。幾つかの例では、燐光物質は、光電池の他の光学素子上にコーティングされ得る。燐光物質及び光電池は、取り外せないように、又は取り外し可能に、共に締結され得る。例えば、燐光物質及び光電池は、燐光物質及び／又は光電池にダメージを与えることなく（又は最小限のダメージで）、フォトン電池アセンブリ１００から分解され、及びフォトン電池アセンブリ１００へと再アセンブルされ得る。代替的に、接触はするが、燐光物質及び光電池は、共に締結されなくてもよい。
【００４４】
[0056]  燐光物質１０２及び光電池１０３が接触しない場合には、燐光物質は、別の方法で、光電池の光吸収面と光学的にやり取りし得る。例えば、光電池の光吸収面は、燐光物質によって放出される光の光路に置かれ得る。幾つかの例では、燐光物質と光電池との間に空隙が存在し得る。幾つかの例では、燐光物質と光電池との間に別の中間層が存在し得る。中間層は、空気又は他の流体でもよい。中間層は、ライトガイド、集光器、又は光学素子（例えば、レンズ、リフレクタ、拡散器、ビームスプリッタなど）の別の層でもよい。幾つかの例では、燐光物質と光電池との間に複数の中間層が存在し得る。
【００４５】
[0057]  幾つかの例では、フォトン電池アセンブリ１００は、アセンブルされ、又は光源１０１、燐光物質１０２、若しくは光電池１０３などへと別々に、若しくはそれらのサブコンビネーションへと分解され得る。幾つかの例では、フォトン電池アセンブリは、異なるパーツにダメージを与えることなく、又は異なるパーツに対して最小限のダメージで、アセンブル又は分解が行われ得る。
【００４６】
[0058]  幾つかの例では、フォトン電池アセンブリ１００は、シェル、外部ケーシング、又は他のハウジング内に収納され得る。フォトン電池アセンブリ１００及び／又はそのシェルは、可搬であってもよい。例えば、フォトン電池アセンブリは、最大で約１メートル（ｍ）、９０センチメートル（ｃｍ）、８０ｃｍ、７０ｃｍ、６０ｃｍ、５０ｃｍ、４５ｃｍ、４０ｃｍ、３５ｃｍ、３０ｃｍ、２５ｃｍ、２０ｃｍ、１５ｃｍ、１０ｃｍ、９ｃｍ、８ｃｍ、７ｃｍ、６ｃｍ、又は５ｃｍ以下の最大寸法を有し得る。フォトン電池アセンブリの最大寸法は、フォトン電池アセンブリの他の寸法よりも大きいフォトン電池アセンブリのある寸法（例えば、長さ、幅、高さ、深さ、直径など）でもよい。代替的に、フォトン電池アセンブリは、より大きな最大寸法を有し得る。例えば、より高いエネルギー蓄積容量を有するフォトン電池アセンブリは、より大きな寸法を有し、及び可搬でなくてもよい。
【００４７】
[0059]  光源１０１は、発光ダイオード（ＬＥＤ）又は他の発光デバイスなどの人工光源でもよい。例えば、光源は、レーザ又はランプでもよい。光源は、複数の発光デバイス（例えば、複数のＬＥＤ）でもよい。幾つかの例では、光源は、１つのＬＥＤとして配置され得る。幾つかの例では、光源は、複数のＬＥＤの行又は列として配置され得る。光源は、ＬＥＤの複数の列、行、又は他の軸のアレイ又はグリッドとして配置され得る。光源は、異なる発光デバイスの組み合わせでもよい。光源の発光面は、平面又は非平面でもよい。光源の発光面は、実質的に平坦でも、実質的に曲線状でも、或いは別の形状を成していてもよい。光源は、剛性支持体及び／又は可撓性支持体によって支持され得る。例えば、支持体は、指向性又は無指向性となるように、光源によって放出された光を指向させ得る。幾つかの例では、光源は、一次光学素子及び／又は二次光学素子を含み得る。幾つかの例では、光源は、三次光学素子を含み得る。幾つかの例では、光源は、他のレベル又は層に他の光学素子（例えば、レンズ、リフレクタ、拡散器、ビームスプリッタなど）を含み得る。光源は、電気エネルギーを光エネルギーに変換するように構成され得る。例えば、光源は、フォトン電池アセンブリ１００の外部又は内部に存在し得る電力源によって電力が供給され得る。光源は、電磁波の形態などで光エネルギー（例えば、光子）を放出するように構成され得る。幾つかの例では、光源は、燐光物質１０２によって吸収されることが可能な波長又は波長領域の光エネルギーを放出するように構成され得る。例えば、光源は、紫外線領域の波長（例えば、１０ナノメートル（ｎｍ）〜４００ｎｍ）の光を放出し得る。幾つかの例では、光源は、電磁スペクトル（例えば、赤外線、可視光線、紫外線、Ｘ線など）の他の波長又は波長領域の光を放出し得る。
【００４８】
[0060]  幾つかの例では、光源１０１は、自然光源（例えば、太陽光）でもよく、その場合、フォトン電池アセンブリ１００の燐光物質１０２は、そのような自然光を吸収するために自然光源に暴露され得る。
【００４９】
[0061]  燐光物質１０２は、第１の波長（又は第１の波長領域）の光エネルギーを吸収し、及びかなりの時間遅延後に、第２の波長（又は第２の波長領域）の光エネルギーを放出し得る。第２の波長は、第１の波長とは異なる波長となり得る。燐光物質によって吸収される第１の波長の光エネルギーは、燐光物質によって放出される第２の波長の光エネルギーよりも高いエネルギーレベルとなり得る。第２の波長は、第１の波長よりも大きな波長となり得る。一例では、燐光物質は、紫外線領域波長（例えば、１０ｎｍ〜４００ｎｍ）のエネルギーを吸収し、及び可視領域波長（例えば、４００ｎｍ〜７００ｎｍ）のエネルギーを放出し得る。例えば、燐光物質は、青色光子を吸収し、及びある時間遅延後に、緑色光子を放出し得る。燐光物質は、他の波長（又は波長領域）の光エネルギー（例えば、光子）を吸収し、及び放出されるエネルギーが吸収されるエネルギーよりも低いエネルギーレベルである電磁スペクトル（例えば、赤外線、可視光線、紫外線、Ｘ線など）などにおける他の波長（又は波長領域）の光エネルギーを放出し得る。燐光物質による光エネルギーの放出速度は、燐光物質による光エネルギーの吸収速度よりも遅くなり得る。この速度の差の利点は、エネルギーを吸収する速度よりも遅い速度でエネルギーを解放する燐光物質の能力であり、その結果、そのような時間遅延中にエネルギーが蓄積される。
【００５０】
[0062]  燐光物質は、結晶、固体、液体、セラミック、粉末状、液体状、又はその他の形状、状態、若しくは形態でもよい。燐光物質は、長く続く蛍光体でもよい。一例では、燐光物質は、ユーロピウムでドープされたアルミン酸ストロンチウム（例えば、ＳｒＡｌ２Ｏ４：Ｅｕ）を含み得る。燐光物質の幾つかの他の例は、限定されないが、亜鉛ガロゲルマネート（例えば、Ｚｎ３Ｇａ２Ｇｅ２Ｏ１０：０．５％Ｃｒ３＋）、銅及び／又はコバルトでドープされた硫化亜鉛（例えば、ＺｎＳ：Ｃｕ、Ｃｏ）、ユーロピウム、ジスプロシウム、及び／又はホウ素などの他のドーパントでドープされたアルミン酸ストロンチウム（例えば、ＳｒＡｌ２Ｏ４：Ｅｕ２＋、Ｄｙ３＋、Ｂ３＋）、ユーロピウム、ジスプロシウム、及び／又はネオジムでドープされたアルミン酸カルシウム（例えば、ＣａＡｌ２Ｏ４：Ｅｕ２＋、Ｄｙ３＋、Ｎｄ３＋）、ユーロピウム、マグネシウム、及び／又はチタンでドープされたオキシ硫化イットリウム（例えば、Ｙ２Ｏ２Ｓ：Ｅｕ３＋、Ｍｇ２＋、Ｔｉ４＋）、並びに亜鉛ガロゲルマネート（例えば、Ｚｎ３Ｇａ２Ｇｅ２Ｏ１０：０．５％Ｃｒ３＋）を含み得る。幾つかの例では、燐光物質によって放出された残光（例えば、放出された光エネルギー）は、少なくとも約１時間（ｈｒ）、２ｈｒ、３ｈｒ、４ｈｒ、５ｈｒ、６ｈｒ、７ｈｒ、８ｈｒ、９ｈｒ、１０ｈｒ、１１ｈｒ、１２ｈｒ、一日、二日、三日、四日、１週間、２週間、又は３週間以上継続し得る。幾つかの例では、燐光物質は、少なくとも約１ｈｒ、２ｈｒ、３ｈｒ、４ｈｒ、５ｈｒ、６ｈｒ、７ｈｒ、８ｈｒ、９ｈｒ、１０ｈｒ、１１ｈｒ、１２ｈｒ、一日、二日、三日、四日、１週間、２週間、又は３週間以上の間、エネルギーの蓄積及び／又は放電を行い得る。代替的に、燐光物質によって放出された残光（又は燐光物質によって蓄積されたエネルギー）は、より短い期間の間、継続し得る。
【００５１】
[0063]  アセンブリ１００は、１つの光電池、又は直列及び／又は並列に電気的に接続された複数の光電池（例えば、光電池１０３）を含み得る。光電池１０３は、パネル、セル、モジュール、及び／又は他のユニットでもよい。例えば、パネルは、全てパネルの平面に配向され、様々な構成で電気的に接続された１つ又は複数のセルを含み得る。例えば、モジュールは、様々な構成で電気的に接続された１つ又は複数のセルを含み得る。光電池１０３又は太陽電池は、光エネルギーを吸収し、及び吸収された光エネルギーから電力を生成するように構成され得る。幾つかの例では、光電池は、燐光物質１０２によって放出されることが可能な波長又は波長領域の光エネルギーを吸収するように構成され得る。光電池は、燐光物質によって放出される光エネルギーの波長（又は波長領域）に合わせられた単一のバンドギャップを有し得る。これは、フォトン電池アセンブリ１００のエネルギー蓄積システムの効率を有益に向上させ得る。例えば、燐光物質としてユーロピウムでドープされたアルミン酸ストロンチウムの場合、光電池は、緑色光波長（例えば、５００〜５２０ｎｍ）に合わせられたバンドギャップを有し得る。同様に、光源１０１は、紫外線領域波長（例えば、２０ｎｍ〜４００ｎｍ）を放出するように適応され得る。代替的に、光電池は、電磁スペクトル（例えば、赤外線、可視光線、紫外線、Ｘ線など）の他の波長（又は波長領域）の光エネルギーを吸収するように構成され得る。
【００５２】
[0064]  幾つかの実施形態では、有機発光ダイオード（ＯＬＥＤ）が、フォトン電池アセンブリ１００において、燐光物質１０２の代わりとなり得る。幾つかの実施形態では、ＯＬＥＤは、光源１０１及び燐光物質の両方の代わりとなり得る。ＯＬＥＤは、ダイオードの格子における準粒子が、電力源からポテンシャルエネルギーを蓄積し、及び可視波長（例えば、４００ｎｍ〜７００ｎｍ）の光エネルギーの形態で、経時的にポテンシャルエネルギーを解放する電気燐光が可能となり得る。例えば、ＯＬＥＤは、フォトン電池アセンブリ１００の外部又は内部に存在し得る電力源によって電力が供給され得る。ＯＬＥＤの発光面は、光電池１０３の光吸収面と境界面を成して、フォトン電池アセンブリを完成し得る。例えば、ＯＬＥＤの場合、光電池は、可視波長領域（例えば、４００〜７００ｎｍ）に合わせられたバンドギャップを有し得る。
【００５３】
[0065]  図２は、電気負荷とやり取りするフォトン電池を示す。フォトン電池２０１は、電気負荷２０２に電力を供給し得る。フォトン電池及び電気負荷は、電気回路などにより、電気的にやり取りし得る。図２は回路を示すが、回路構成は、図２に示すものに限定されない。電気負荷は、電力消費デバイスでもよい。電気負荷は、パーソナルコンピュータ（例えば、ポータブルＰＣ）、スレート若しくはタブレットＰＣ（例えば、Apple（登録商標）のiPad、Samsung（登録商標）のGalaxy Tab）、電話、スマートフォン（例えば、Apple（登録商標）のiPhone、Android対応デバイス、Blackberry（登録商標））、又は携帯情報端末などの電子デバイスでもよい。電子デバイスは、携帯型又は非携帯型でもよい。電気負荷は、自動車、電気自動車、電車、ボート、又は飛行機などの車両でもよい。電気負荷は、電力網でもよい。場合によっては、電気負荷は、フォトン電池によって充電される別の電池又は他のエネルギー蓄積システムでもよい。幾つかの例では、フォトン電池は、電気負荷に組み込まれ得る。幾つかの例では、フォトン電池は、取り外せないように、又は取り外し可能に電気負荷に結合され得る。例えば、フォトン電池は、電気負荷から取り外し可能であってもよい。
【００５４】
[0066]  場合によっては、フォトン電池２０１は、直列又は並列の複数の電気負荷に電力を供給し得る。場合によっては、フォトン電池は、複数の電気負荷に同時に電力を供給し得る。例えば、フォトン電池は、２個、３個、４個、５個、６個、７個、８個、９個、又は１０個以上の電気負荷に同時に電力を供給し得る。場合によっては、直列又は並列に電気的に接続された複数のフォトン電池が、１つの電気負荷に電力を供給し得る。場合によっては、１つ又は複数のフォトン電池、及び１つ又は複数の他のタイプのエネルギー蓄積システム（例えば、リチウムイオン電池、燃料電池など）の組み合わせが、１つ又は複数の電気負荷に電力を供給し得る。
【００５５】
[0067]  図３は、応用された例示的フォトン電池アセンブリを示す。図３に示す全ての回路は、そのような回路網構成に限定されない。フォトン電池アセンブリ３００は、電源３０４によって充電され、及び電気負荷３０６に電力を放電し得る。フォトン電池アセンブリは、ＬＥＤ又は一連のＬＥＤなどの光源３０１を含み得る。光源は、光源のポート３０５を通して電源３０４と電気的にやり取りし得る。例えば、電源及びポート３０５は、回路を介して電気的に接続され得る。電源３０４は、フォトン電池アセンブリ３００の外部又は内部に存在し得る。電源は、別のエネルギー蓄積システムなど（例えば、別のフォトン電池、リチウムイオン電池、超コンデンサ、燃料電池など）の電力供給デバイスでもよい。電源は、配電網でもよい。
【００５６】
[0068]  光源３０１は、電気エネルギーを受け、及び光源の発光面などにより、第１の波長の光エネルギーを放出し得る。発光面は、燐光物質３０２に隣接し得る。光源は、燐光物質と光学的にやり取りし得る。燐光物質は、第１の波長の光エネルギーを吸収し、及びある時間遅延後に、第２の波長の光エネルギーを放出するように構成され得る。場合によっては、第２の波長の光エネルギーの放出速度は、第１の波長の光エネルギーの吸収速度よりも遅くなり得る。この速度の差の利点は、エネルギーを吸収する速度よりも遅い速度でエネルギーを解放する燐光物質の能力であり、その結果、そのような時間遅延中にエネルギーが蓄積される。幾つかの例では、燐光物質は、少なくとも約１ｈｒ、２ｈｒ、３ｈｒ、４ｈｒ、５ｈｒ、６ｈｒ、７ｈｒ、８ｈｒ、９ｈｒ、１０ｈｒ、１１ｈｒ、１２ｈｒ、一日、二日、三日、四日、１週間、２週間、又は３週間以上の間、エネルギーの蓄積及び／又は放電を行い得る。
【００５７】
[0069]  フォトン電池アセンブリは、光電池３０３を含み得る。光電池は、光電池の光吸収面などによって、第２の波長の光エネルギーを吸収するように構成され得る。光電池は、燐光物質３０２と光学的にやり取りし得る。光電池の光吸収面は、燐光物質と隣接し得る。光電池は、吸収された光エネルギーから電力を生成し得る。光電池によって生成された電力は、電気負荷３０６に電力を供給するために使用され得る。光電池は、光電池のポート３０７を通して電気負荷と電気的にやり取りし得る。例えば、電気負荷及びポート３０７は、回路を介して電気的に接続され得る。
【００５８】
[0070]  フォトン電池アセンブリ３００によって蓄積されたエネルギーは、複数回、充電及び／又は再充電され得る。フォトン電池アセンブリによって生成された電力は、複数回消費され得る。フォトン電池アセンブリは、ポート３０５などを通して、電気エネルギー（又は電力）を光源３０１に供給することにより、充電及び／又は再充電され得る。フォトン電池アセンブリ３００は、ポート３０７などを通して、光電池によって生成された電力を電気負荷３０６に指向させることによって、電力を放電し得る。例えば、フォトン電池アセンブリ３００は、少なくとも１個、２個、３個、４個、５個、６個、７個、８個、９個、１０個、１００個、５００個、１０００個、１０４個、１０５個、又は１０６個以上の再充電（又は消費）サイクルの間、継続（例えば機能）し得る。
【００５９】
[0071]  フォトン電池アセンブリ３００は、従来の化学電池の充電速度よりも例えば約２倍、３倍、４倍、５倍、６倍、７倍、８倍、９倍、１０倍、２０倍、３０倍、４０倍、５０倍、６０倍、７０倍、８０倍、９０倍、又は１００倍以上速い優れた充電速度を提供し得る。例えば、フォトン電池アセンブリは、１立方センチメートル当たり少なくとも約８００ワット（Ｗ／ｃｃ）、８５０Ｗ／ｃｃ、９００Ｗ／ｃｃ、１０００Ｗ／ｃｃ、１０５０Ｗ／ｃｃ、１１００Ｗ／ｃｃ、１１５０Ｗ／ｃｃ、１２００Ｗ／ｃｃ、１２５０Ｗ／ｃｃ、１３００Ｗ／ｃｃ、１３５０Ｗ／ｃｃ、１４００Ｗ／ｃｃ、１４５０Ｗ／ｃｃ、又は１５００Ｗ／ｃｃ以上のスピードで充電し得る。代替的に、フォトン電池アセンブリは、約８００Ｗ／ｃｃ未満のスピードで充電し得る。フォトン電池アセンブリは、従来の化学電池の寿命よりも例えば約２倍、３倍、４倍、５倍、６倍、７倍、８倍、９倍、又は１０倍以上多い再充電サイクルの優れた寿命を提供し得る。
【００６０】
[0072]  フォトン電池アセンブリ３００は、比較的低い動作温度条件において、安定し、及び効果的に機能し得る。例えば、フォトン電池アセンブリは、最低で摂氏約−５５度（℃）、及び最高で約６５℃の動作温度で安定的に機能し得る。フォトン電池アセンブリは、約−５５℃よりも低い動作温度、及び約６５℃よりも高い動作温度で安定的に機能し得る。幾つかの例では、フォトン電池アセンブリは、光源（例えば、ＬＥＤ）が安定的に機能する動作温度下で、安定的に機能し得る。フォトン電池アセンブリは、過剰な動作熱を生成しない場合がある。
【００６１】
[0073]  図４は、ある程度自給的な例示的フォトン電池アセンブリを示す。図４に示す全ての回路は、そのような回路網構成に限定されない。フォトン電池アセンブリ４００は、電源４０４（例えば、配電網、電池などの異なるエネルギー蓄積システムなど）によって充電され、及び電気負荷４０８に電力を放電し得る。しかし、電気負荷４０８又はフォトン電池アセンブリから電力を引き出し得る他の電気負荷は、必ずしも、常にフォトン電池アセンブリに接続されなくてもよい。幾つかの例では、フォトン電池アセンブリは、フォトン電池アセンブリに接続された電気負荷によって消費されるよりも多くの電力を放電し得る。そのような場合には、光電池４０３によって生成された電力の少なくとも一部が、無駄にされ、又はエネルギー蓄積システム（例えば、フォトン電池アセンブリ４００）から失われ得る。電気負荷がフォトン電池アセンブリに接続されない場合には、幾つかの例において、フォトン電池アセンブリによって生成された電力は、フォトン電池アセンブリへと戻るように指向され得る。代替的又は追加的に、電気負荷が、フォトンアセンブリによって生成されているよりも少ない電力量を消費している場合には、電力の一部は、フォトン電池アセンブリに指向され得る。例えば、光電池によって生成された少なくとも一部の電力は、光源４０１に電力を供給するために指向され得る。
【００６２】
[0074]  幾つかの例では、図４のフォトン電池アセンブリ４００及びそれの対応するコンポーネントは、図３のフォトン電池アセンブリ３００及びそれの対応するコンポーネントに類似し得る。
【００６３】
[0075]  フォトン電池アセンブリ４００は、主に電源４０４によって電力を供給される光源４０１（光源の第１のポート４０５などを通して）、光源の発光面に隣接する燐光物質４０２、及びその光吸収面が燐光物質に隣接する光電池４０３を含み得る。光電池は、電気負荷が光電池と電気的にやり取りするときに、電気負荷４０８に電力を放電し得る。光電池は、電気負荷が光電池と電気的にやり取りしないときに、光源に電力を放電し得る。
【００６４】
[0076]  例えば、フォトン電池アセンブリ４００の回路網は、第１の電気経路４１０又は第２の電気経路４１１を完成するスイッチ４０９を含み得る。場合によっては、スイッチは、どちらの電気経路も完成しない場合があり（例えば、図４に示すように）、及びどちらの電気経路も完成しない場合には、フォトン電池アセンブリによって生成された電力は、無駄にされ、又はエネルギー蓄積システムから失われ得る。電気負荷（例えば、電気負荷４０８）がフォトン電池アセンブリ４００に接続されない場合には、第１の電気経路４１０が完成され得る。幾つかの例では、第１の電気経路４１０を完成することは、スイッチ４０９のデフォルト状態でもよい。電気負荷が接続されない場合には、第１の電気経路が完成され、その結果、光電池４０３によって生成された電力が、光電池のポート４０６などを通して光源４０１へと光源の第２のポート４０７などを通して指向され得る。場合によっては、光源の第１のポート４０５及び第２のポート４０７は、同じポートであってもよい。
【００６５】
[0077]  第２の電気経路４１１は、少なくとも１つの電気負荷（例えば、電気負荷４０８）がフォトン電池アセンブリ４００に接続される場合に完成され得る。幾つかの例では、電気負荷をフォトン電池アセンブリに接続することは、スイッチ４０９が、デフォルト経路から（又は異なる電気経路を完成することから）第２の電気経路４１１を完成することへと切り替えることをトリガし得る。電気負荷４０８が接続される場合には、第２の電気経路が完成され、その結果、光電池４０３によって生成された電力が、ポート４０６などを通して電気負荷４０８へと指向され得る。
【００６６】
[0078]  場合によっては、第１の電気経路４１０及び第２の電気経路４１１は、相互排他的でもよい。場合によっては、回路は、電気負荷によって消費されるよりも多い電力が光電池によって放電されている場合などに、光電池４０３のポート４０６、光源４０１の第２のポート４０７、及び電気負荷４０８を直列又は並列に、及び同時に又は個別に接続し、少なくとも一部の電力を光源に指向させ、並びに少なくとも一部の電力を電気負荷に指向させ得る。
【００６７】
[0079]  場合によっては、回路網は、手動で制御され得る（例えば、ケーブルの押し込みなどのフォトン電池アセンブリへの電気負荷の手動接続、スイッチコンポーネントを回路位置に入れる）。代替的又は追加的に、回路網は、コントローラ（図４では不図示）によって制御され得る。コントローラは、フォトン電池アセンブリに対する１つ又は複数の電気負荷の接続を感知することが可能であってもよい。コントローラは、１つ又は複数のスイッチコンポーネント（例えば、スイッチ４０９）又は他の電気コンポーネントを制御することなどにより、異なる電気回路経路（例えば、第１の電気経路４１０、第２の電気経路４１１など）を完成することが可能であってもよい。
【００６８】
[0080]  コントローラは、１つ又は複数のプロセッサ、及び１つ又は複数のプロセッサと通信可能に結合された非一時的コンピュータ可読媒体を含み得る。コントローラは、１つ又は複数のプロセッサ及びメモリに保存された機械可読命令によって、フォトン電池アセンブリ４００の異なる充電及び／又は放電機構を調整することが可能であってもよい。コントローラは、フォトン電池アセンブリの充電を開始するために、光源４０１と電源４０４との間の電気接続をオンにし得る。コントローラは、フォトン電池アセンブリの充電を停止するために、光源と電源との間の電気接続をオフにし得る。コントローラは、光電池４０３と電気負荷４０８との間の電気接続をオン又はオフにし得る。幾つかの例では、コントローラは、フォトン電池アセンブリの充電レベル（又はパーセンテージ）を検出することが可能であってもよい。コントローラは、いつアセンブリが完全に充電された（若しくはほぼ完全に充電された）か、又は完全に放電された（若しくはほぼ完全に放電された）かを決定することが可能であってもよい。例えば、フォトン電池アセンブリは、温度センサ、熱センサ、光センサ、又はコントローラに動作可能に結合された他のタイプのセンサをさらに含んでもよく、これらのセンサは、充電レベル（又はパーセンテージ）を示すデータを提供する。幾つかの例では、コントローラは、フォトン電池アセンブリの寿命を維持し、及び／又は延ばすなどのために、フォトン電池アセンブリの特定の充電レベル範囲（例えば、５％〜９５％、１０％〜９０％など）を維持することが可能であってもよい（完全な充電又は完全な放電は、寿命を有害に短くし得る）。コントローラは、電気負荷及び／又は光源の電力消費速度を決定することが可能であってもよい。コントローラは、そのような電力消費速度の決定に基づいて、電力を電気負荷に指向させる、光源に指向させる、その両方に指向させる、及び／又はそのどちらにも指向させないように、フォトン電池アセンブリの１つ又は複数の回路網を操作するように構成され得る。図５は、再充電可能電池とやり取りする例示的フォトン電池アセンブリを示す。図５に示す全ての回路は、そのような回路網構成に限定されない。フォトン電池アセンブリ５００は、電源５０４によって充電され、及び電気負荷５０９に電力を放電し得る。しかし、電気負荷５０９又はフォトン電池アセンブリから電力を引き出し得る他の電気負荷は、必ずしも、常にフォトン電池アセンブリに接続されなくてもよい。そのような場合には、光電池５０３によって生成された電力は、無駄にされ、又はエネルギー蓄積システム（例えば、フォトン電池アセンブリ５００）から失われ得る。電気負荷がフォトン電池アセンブリに接続されない場合には、幾つかの例において、フォトン電池アセンブリによって生成された電力は、再充電可能電池５０８を充電するように指向され得る。例えば、光電池によって生成された少なくとも一部の電力は、再充電可能電池５０８を充電するために指向され得る。再充電可能電池が、幾つかの例では、電力を光源５０１に供給し、及び幾つかの例では、フォトン電池アセンブリ５００の光電池５０３によって充電され得るように、再充電可能電池５０８は、フォ���ン電池アセンブリ５００に電気的に結合され得る。再充電可能電池は、リチウムイオン電池でもよい。
【００６９】
[0081]  幾つかの例では、図５のフォトン電池アセンブリ５００及びそれの対応するコンポーネントは、図３のフォトン電池アセンブリ３００及びそれの対応するコンポーネントに類似し得る。幾つかの例では、図５のフォトン電池アセンブリ５００及びそれの対応するコンポーネントは、図４のフォトン電池アセンブリ４００及びそれの対応するコンポーネントに類似し得る。
【００７０】
[0082]  フォトン電池アセンブリ５００は、主に電源５０４によって電力を供給される光源５０１（光源の第１のポート５０５などを通して）、光源の発光面に隣接する燐光物質５０２、及びその光吸収面が燐光物質に隣接する光電池５０３を含み得る。光電池は、電気負荷が光電池と電気的にやり取りするときに、電気負荷５０９に電力を放電し得る。光電池は、電気負荷が光電池と電気的にやり取りしないときに、再充電可能電池５０８に電力を放電し得る。
【００７１】
[0083]  例えば、フォトン電池アセンブリ５００の回路網は、第１の電気経路５１２又は第２の電気経路５１３を完成するスイッチ５１０を含み得る。場合によっては、スイッチは、どちらの電気経路も完成しない場合があり（例えば、図５に示すように）、及びどちらの電気経路も完成しない場合には、フォトン電池アセンブリによって生成された電力は、無駄にされ、又はエネルギー蓄積システムから失われ得る。電気負荷（例えば、電気負荷５０９）がフォトン電池アセンブリ５００に接続されない場合には、第１の電気経路５１２が完成され得る。幾つかの例では、第１の電気経路５１２を完成することは、スイッチ５１０のデフォルト状態でもよい。電気負荷が接続されない場合には、第１の電気経路が完成され、その結果、光電池５０３によって生成された電力が、光電池のポート５０６などを通して再充電可能電池５０８へと指向され得る。再充電可能電池は、光電池から受けとったエネルギーを蓄積し得る。再充電可能電池は、それ自体の電力を別の電気負荷などへ、及び／又は光源５０１の第２のポート５０７などを通してフォトン電池アセンブリ５００に戻るように放電し得る。幾つかの例では、光源の第２のポート５０７及び第１のポート５０５は、同じポートであってもよい。
【００７２】
[0084]  第２の電気経路５１３は、少なくとも１つの電気負荷（例えば、電気負荷５０９）がフォトン電池アセンブリ５００に接続される場合に完成され得る。幾つかの例では、電気負荷をフォトン電池アセンブリに接続することは、スイッチ５１０が、デフォルト経路から（又は異なる電気経路を完成することから）第２の電気経路５１３を完成することへと切り替えることをトリガし得る。電気負荷５０９が接続される場合には、第２の電気経路が完成され、その結果、光電池５０３によって生成された電力が、ポート５０６などを通して電気負荷５０９へと指向され得る。
【００７３】
[0085]  場合によっては、第１の電気経路５１２及び第２の電気経路５１３は、相互排他的でもよい。場合によっては、回路は、光電池５０３のポート５０６、再充電可能電池５０８、及び電気負荷５０９を直列又は並列に、及び同時に又は個別に接続し、少なくとも一部の電力を再充電可能電池に指向させ、並びに少なくとも一部の電力を電気負荷に指向させ得る。
【００７４】
[0086]  代替的又は追加的に、フォトン電池アセンブリ５００の回路網は、第３の電気経路５１４又は第４の電気経路５１５を完成するスイッチ５１１を含み得る。場合によっては、スイッチは、どちらの電気経路も完成しない場合があり（例えば、図５に示すように）、及びどちらの電気経路も完成しない場合には、フォトン電池アセンブリによって生成された電力は、無駄にされ、又はエネルギー蓄積システムから失われ得る。幾つかの例では、第３の電気経路５１４を完成することは、スイッチ５１１のデフォルト状態でもよい。第３の電気経路が完成される場合には、再充電可能電池５０８によって生成された電力が、光源５０１の第２のポート５０７などを通してフォトン電池アセンブリ５００へと指向され得る。幾つかの例では、光源の第２のポート５０７及び第１のポート５０５は、同じポートであってもよい。第４の電気経路５１５が完成される場合には、光電池５０３によって生成された電力は、ポート５０６などを通して、フォトン電池アセンブリ５００へと戻るように、光源５０１の第２のポート５０７などを通して指向され得る。
【００７５】
[0087]  場合によっては、第１の電気経路５１２、第２の電気経路５１３、第３の電気経路５１４、及び第４の電気経路５１５は、相互排他的でもよい。場合によっては、回路は、光電池５０３のポート５０６、再充電可能電池５０８、電気負荷５０９、光源５０１の第２のポート５０７、又はそれらの任意の組み合わせを直列又は並列に、及び同時に又は個別に接続し、少なくとも一部の電力を異なるコンポーネントへと、又は異なるコンポーネントから指向させ得る。
【００７６】
[0088]  場合によっては、回路網は、手動で制御され得る（例えば、ケーブルの押し込みなどのフォトン電池アセンブリへの電気負荷の手動接続、スイッチコンポーネントを回路位置に入れる）。代替的又は追加的に、回路網は、コントローラ（図５では不図示）によって制御され得る。コントローラは、フォトン電池アセンブリに対する１つ又は複数の電気負荷の接続を感知することが可能であってもよい。コントローラは、フォトン電池アセンブリ及び／又は１つ若しくは複数の電気負荷との１つ又は複数の再充電可能電池の接続を感知することが可能であってもよい。コントローラは、１つ又は複数のスイッチコンポーネント（例えば、スイッチ５１０、スイッチ５１１など）又は他の電気コンポーネントを制御することなどにより、異なる電気回路経路（例えば、第１の電気経路５１２、第２の電気経路５１３、第３の電気経路５１４、第４の電気経路５１５など）を完成することが可能であってもよい。
【００７７】
[0089]  図６は、複数のフォトン電池アセンブリのスタックを示す。フォトン電池アセンブリは、異なる所望の電圧、エネルギー蓄積容量、電力密度、及び／又は他の電池特性を得るために接続され得る。例えば、エネルギー蓄積システム６００は、第１のフォトン電池アセンブリ６０１、第２のフォトン電池アセンブリ６０２、第３のフォトン電池アセンブリ６０１、及び第４のフォトン電池アセンブリ６０１のスタックを含む。第１のフォトン電池アセンブリは、それ自体の光源６０１Ａ、燐光物質６０１Ｂ、及び光電池６０１Ｃを含み得る。同様に、第２のフォトン電池アセンブリは、それ自体の光源６０２Ａ、燐光物質６０２Ｂ、及び光電池６０２Ｃを含み得る。同様に、第３のフォトン電池アセンブリは、それ自体の光源６０３Ａ、燐光物質６０３Ｂ、及び光電池６０３Ｃを含み得る。同様に、第４のフォトン電池アセンブリは、それ自体の光源６０４Ａ、燐光物質６０４Ｂ、及び光電池６０４Ｃを含み得る。図６は、共にスタックされた４つのフォトン電池アセンブリを示すが、任意の数のフォトン電池アセンブリが共にスタックされてもよい。例えば、少なくとも２個、３個、４個、５個、６個、７個、８個、９個、１０個、１５個、２０個、２５個、３０個、３５個、４０個、４５個、５０個、１００個、又は２００個以上のフォトン電池アセンブリが共にスタックされてもよい。
【００７８】
[0090]  各フォトン電池アセンブリは、図１〜５に示されるように構成され得る。代替的に、フォトン電池アセンブリの異なるコンポーネント（例えば、光源、燐光物質、光電池）が、何れの燐光物質層も光源層及び光電池層の両方に隣接するように、異なる構成（例えば、順序）でスタックされ得る。例えば、第１の光電池層は、第１の燐光物質層と隣接してもよく、この第１の燐光物質層は、光源層とも隣接し、この光源層は、第２の燐光物質層とも隣接し、この第２の燐光物質層は、第２の光電池層とも隣接する。上記の例の場合のように、燐光物質層は、光電池及び光源の交互層間の中間層として機能し得る。例えば、光源は、それぞれ別個の燐光物質（例えば、異なる体積の燐光物質）と光学的にやり取りする少なくとも２つの発光面を有し得る。例えば、光電池は、それぞれ別個の燐光物質（例えば、異なる体積の燐光物質）と光学的にやり取りする少なくとも２つの光吸収面を有し得る。
【００７９】
[0091]  複数のフォトン電池アセンブリは、直列、並列、又はそれらの組み合わせで電気的に接続され得る。図６は、垂直スタックを示すが、これらのアセンブリは、水平スタック、又は同心円状（又は円形）スタックなどの異なる構成でスタックされてもよい。幾つかの例では、各フォトン電池アセンブリ間に相互接続及び／又は他の電気コンポーネントが存在し得る。幾つかの例では、コントローラが、１つ又は複数のフォトン電池アセンブリ（例えば、６０１、６０２、６０３、６０４など）に電気的に結合され、並びに各電池アセンブリ又は電池アセンブリの組み合わせからの電力の流入及び／又は流出を管理することが可能であってもよい。
【００８０】
[0092]  本明細書の他の箇所に記載するように、フォトン電池アセンブリの光電池は、燐光物質からの光エネルギーを吸収することによって、電力を生成する。しかし、燐光物質の深さが大き過ぎる場合には、燐光物質によって放出された光エネルギーは、１つには、光電池の１つ又は複数の光吸収面への光路を遮る他の燐光物質のせいで、光電池によって効率的に吸収されない場合がある。例えば、燐光物質の最も外側の物質（光電池の光吸収面と燐光物質との間の境界面に最も近い）によって放出された光子は、内側の物質（燐光物質と光電池との間の境界面から最も遠い）によって放出された光子よりも少ない抵抗で吸収され得る。従って、幾つかの例では、光電池の光吸収面の比較的広い表面積と境界面を成す燐光物質の比較的薄い層を有することが有益となり得る。本明細書で提供されるのは、燐光物質と光電池との間の境界面表面積を増大させることができ、その結果、光電池による光エネルギーのより効率的な吸収を可能にするフォトン電池アセンブリのトレンチ状構成である。
【００８１】
[0093]  図７は、フォトン電池アセンブリの例示的トレンチ構成の垂直断面図を示し、及び図８は、フォトン電池アセンブリの例示的トレンチ構成の水平断面図を示す。図７及び図８は、フォトン電池の同じトレンチ構成の異なるビューであっても、或いはそうでなくてもよい。
【００８２】
[0094]  図７を参照して、フォトン電池アセンブリ７００は、光源７０１（例えば、ＬＥＤ）、燐光物質７０２、及び光電池７０３を含む。本明細書の他の箇所に記載するように、光源の発光面は、燐光物質に隣接してもよく、及び光電池の光吸収面は、燐光物質に隣接してもよい。
【００８３】
[0095]  幾つかの例では、光電池７０３は、対応する凸部によって定義される１つ又は複数の凹部を含み得る。凹部及び／又は対応する凸部は、光電池の光吸収面によって定義され得る。例えば、光電池は、１つ又は複数の谷及び／又はピークを含み得る。代替的又は追加的に、光電池は、溝、切り込み、トレンチ、井戸、及び／又は凹部の他の特徴付けを含み得る。凹部は、エッチング、カッティング、カービング、ディギング、掘削、モールディング、加圧、及び／又は他の機械的方法によって形成され得る。代替的又は追加的に、凹部は、凹部を含むように光電池を構築し、作り、及び／又はアセンブルすることによって形成され得る。
【００８４】
[0096]  幾つかの例では、凹部７０４の深さ７０５は、凹部７０４の最大幅７０５（又は直径）よりも１００倍長くてもよい。幾つかの例では、凹部の深さは、凹部の最大幅よりも少なくとも２倍、３倍、４倍、５倍、６倍、７倍、８倍、９倍、１０倍、１１倍、１２倍、１３倍、１４倍、１５倍、２０倍、３０倍、４０倍、５０倍、６０倍、７０倍、８０倍、９０倍、１００倍、１５０倍、２００倍、３００倍、４００倍、５００倍、６００倍、７００倍、８００倍、９００倍、又は１０００倍以上長くてもよい。幾つかの例では、凹部の最大幅は、少なくとも約５０ナノメートル（ｎｍ）、６０ｎｍ、７０ｎｍ、８０ｎｍ、９０ｎｍ、１００ｎｍ、１１０ｎｍ、１２０ｎｍ、１３０ｎｍ、１４０ｎｍ、１５０ｎｍ、２００ｎｍ、３００ｎｍ、４００ｎｍ、５００ｎｍ、６００ｎｍ、７００ｎｍ、８００ｎｍ、９００ｎｍ、１ミリメートル（ｍｍ）、１．１ｍｍ、１．２ｍｍ、１．３ｍｍ、１．４ｍｍ、１．５ｍｍ、１．６ｍｍ、１．７ｍｍ、１．８ｍｍ、１．９ｍｍ、又は２．０ｍｍ以上でもよい。代替的に、凹部の最大幅は、約５０ｎｍ未満でもよい。幾つかの例では、凹部の深さは、少なくとも約１ｍｍ、２ｍｍ、３ｍｍ、４ｍｍ、５ｍｍ、６ｍｍ、７ｍｍ、８ｍｍ、９ｍｍ、又は１センチメートル（ｃｍ）以上でもよい。代替的に、凹部の深さは、約１ｍｍ未満でもよい。幾つかの例では、凹部の最大幅は、凸部の最大幅と実質的に同じでもよい。代替的に、凹部の最大幅は、凸部の最大幅よりも少なくとも１％、２％、３％、４％、５％、６％、７％、８％、９％、１０％、２０％、３０％、４０％、５０％、６０％、７０％、８０％、９０％、１００％、２００％、３００％、４００％、５００％、１０００％、２０００％、３０００％、４０００％、又は５０００％以上大きくてもよい。代替的に、凹部の最大幅は、凸部の最大幅未満でもよい。幾つかの例では、光電池７０３は、光電池の１センチメートル長さ当たり、少なくとも約１個、２個、３個、４個、５個、６個、７個、８個、８個、１０個、１１個、１２個、１３個、１４個、１５個、２０個、３０個、４０個、５０個、６０個、７０個、８０個、９０個、１００個、１５０個、２００個、３００個、４００個、５００個、６００個、７００個、８００個、９００個、１０００個、２０００個、３０００個、４０００個、５０００個、６０００個、７０００個、８０００個、９０００個、１０，０００個、又は２０，００００個以上の凹部を含み得る。代替的に、光電池は、光電池の１センチメートル長さ当たり、約１個未満の凹部を含み得る。
【００８５】
[0097]  図７は、光電池構造において特定の数の凹部を示すが、光電池の凹部の数は、それに制限されない。燐光物質７０２は、少なくとも光電池の平面の光吸収面の表面積と比べて（図１などにおける）、凹部及び／又は対応する凸部を定義する光電池７０３の光吸収面の大幅に大きな表面積と境界面を成し得る。
【００８６】
[0098]  幾つかの実施形態では、光電池７０３は、光源７０１と接触していてもよい（図７では不図示）。例えば、光源７０１の１つ又は複数の発光面が、凹部を定義する１つ又は複数の凸部の最上部（又はピーク）と接触することによって、光電池７０３の凹部（又は井戸）を覆う、又は被覆し得る。光源は、燐光物質７０２が光源と光学的にやり取りするどのような構成でもよい。幾つかの例では、燐光物質が自然光を吸収することが可能である場合には、光源は、アセンブリにおいて必要とされない場合があり、及びフォトン電池アセンブリ７００は、燐光物質が自然光源（例えば、太陽光）と光学的にやり取りするどのような構成でもよい。
【００８７】
[0099]  本明細書の他の箇所に記載するように、フォトン電池アセンブリ７００の燐光物質７０２は、光源７０１から第１の波長の光エネルギーを吸収し、及びある時間遅延後に、光電池７０３などに対して第２の波長の光エネルギーを放出することにより、限られた期間にわたりエネルギーを蓄積する。しかし、燐光物質の深さが大き過ぎる場合には、光源によって放出された光エネルギーは、１つには、光源の１つ又は複数の発光面からの光路を遮る他の燐光物質のせいで、燐光物質によって効率的に吸収されない場合がある。例えば、光源によって放出された光子は、燐光物質の最も外側の物質（光源の発光面と燐光物質との間の境界面に最も近い）によって、内側の物質（燐光物質と光源との間の境界面から最も遠い）による場合よりも少ない抵抗で吸収され得る。従って、幾つかの例では、光源の発光面の比較的大きな表面積と境界面を成す燐光物質の比較的薄い層を有することが有益となり得る。
【００８８】
[0100]  幾つかの実施形態では（図７では不図示）、光源７０１は、対応する凸部によって定義される１つ又は複数の凹部を含み得る。凹部及び／又は対応する凸部は、光源の発光面によって定義され得る。例えば、光源は、１つ又は複数の谷及び／又はピークを含み得る。幾つかの例では、凹部の深さは、凹部の最大幅（又は直径）よりも１００倍長くてもよい。燐光物質７０２は、少なくとも光源の平面の発光面の表面積と比べて（図１及び図７などにおける）、凹部及び／又は対応する凸部を定義する光源７０１の発光面の大幅に大きな表面積と境界面を成すことができ、その結果、燐光物質による光エネルギーのより効率的な吸収が可能となる。
【００８９】
[0101]  幾つかの実施形態では（図７では不図示）、光源７０１及び光電池７０３は共に、対応する凸部によって定義される１つ又は複数の凹部を含み得る。幾つかの例では、光源によって定義される凹部及び／又は対応する凸部は、光電池によって定義される凹部及び／又は対応する凸部を補完し得る。例えば、光源の凸部は、少なくとも多少の空間を有して、光電池の凹部内にフィットしてもよく、燐光物質は、光源と光電池との間の上記少なくとも多少の空間内に位置する。代替的又は追加的に、光電池の凸部は、少なくとも多少の空間を有して、光源の凹部内にフィットしてもよく、燐光物質は、光源と光電池との間の上記少なくとも多少の空間内に位置する。このような構成は、燐光物質と光源との間の境界面表面積、及び燐光物質と光電池との間の境界面表面積の両方を有益に増大させることができ、その結果、燐光物質による光エネルギーのより効率的な吸収及び放出、並びに光電池による光エネルギーの効率的な吸収が可能となる。
【００９０】
[0102]  図８を参照すると、フォトン電池アセンブリのトレンチ構成の水平断面図が示されている。フォトン電池アセンブリ８００は、光源（図８では不図示）、燐光物質８０２、及び光電池８０３を含む。本明細書の他の箇所に記載するように、光源の発光面は、燐光物質に隣接してもよく、及び光電池の光吸収面は、燐光物質に隣接してもよい。光電池は、図８の平面内に入る１つ又は複数の凹部、及び図８の平面から出てくる１つ又は複数の対応する凸部を含み得る。場合によっては、凹部は、図８などに示されるように、少なくとも１つの寸法（深さ以外）において細長く、及び水平又は垂直アレイでアライメントされ得る。凹部は、細長くなくてもよい。場合によっては、凹部は、互いに直角であっても、或いはそうでなくてもよい少なくとも２つの軸（例えば、横軸及び縦軸、ｘ軸及びｙ軸）を有するグリッドにアライメントされ得る。
【００９１】
[0103]  代替的又は追加的に、燐光物質は、平面構造（例えば、図１に示す光電池１０３の場合のように）などのその他の形状、形態、又は構造を有する光電池の光吸収面と境界面を成し得る。他の形状、形態、又は構造は、同じ基準体積内で、平面構造と比べて、燐光物質と光電池との間の境界面表面積を増大させ得る。代替的又は追加的に、燐光物質は、平面構造（例えば、図１に示す光源１０１の場合のように）などのその他の形状、形態、又は構造を有する光源の発光面と境界面を成し得る。他の形状、形態、又は構造は、同じ基準体積内で、平面構造と比べて、燐光物質と光源との間の境界面表面積を増大させ得る。
【００９２】
[0104]  幾つかの実施形態では、光エネルギーの代わりに、又は光エネルギーに加えて、燐光物質が、運動エネルギーを吸収し、及びある時間遅延後に、光電池によって吸収される、運動エネルギーから変換された光エネルギーを放出し得る。例えば、放射性物質は、高エネルギー粒子（高運動エネルギーを有する）で燐光物質を励起し得る。
【００９３】
[0105]  図９は、放射性物質を含むフォトン電池アセンブリを示す。フォトン電池アセンブリ９００は、放射性物質９０１、燐光物質９０２、及び光電池９０３を含み得る。幾つかの例では、放射性物質９０１は、フォトン電池アセンブリの上記の実施形態における光源（例えば、図１〜８の光源）の代用となり得る。幾つかの例では、放射性物質９０１は、上記実施形態における光源（図９では不図示の光源）に追加されてもよい。
【００９４】
[0106]  本明細書の他の箇所に記載するように、燐光物質９０２は、光電池９０３の光吸収面に隣接し得る。幾つかの例では、本明細書の他の箇所に記載するように（及び図９に示すように）、燐光物質は、１つ又は複数の凹部及び／又は対応する凸部を定義する光電池９０３の光吸収面と境界面を成し得る。他の例では、燐光物質は、平面構造（例えば、図１に示す光電池１０３の場合のように）などのその他の形状、形態、又は構造を有する光電池の光吸収面と境界面を成し得る。燐光物質はさらに、放射性物質９０１に隣接し得る。例えば、燐光物質は、放射性物質の高エネルギー粒子放出面に隣接し得る。幾つかの例では、シェル、ケーシング、メンブレン、又は他のコンパートメント９０４内の放射性物質は、フォトン電池アセンブリの残りの部分（例えば、燐光物質、光電池など）からシールドされ得る。コンパートメント９０４は、高エネルギー粒子（或いは運動エネルギー）が燐光物質に接触するようにコンパートメントを透過又は通過することを可能にし得る。幾つかの例では、燐光物質に向けて放射線放出（例えば、高エネルギー粒子）を反射するために、鉛などの比較的重い元素が使用され得る。
【００９５】
[0107]  図９は、燐光物質９０２及び光電池９０３の両方の上に位置する放射性物質９０１を示すが、フォトン電池アセンブリ９００の構成は、これに限定されない。例えば、放射性物質は、中央、底部、及び／又は光電池のトレンチ状構成間の場所に位置してもよい。別の例では、放射性物質は、光電池の少なくとも一部と燐光物質との間に位置してもよい。別の例では、放射性物質は、１つ又は複数の異なるコンパートメント内に存在してもよく、並びに、光電池及び／又は燐光物質に対して異なる場所に位置してもよい。放射性物質は、放射性物質によって放出された高エネルギー粒子が燐光物質に到達できる場所、及び／又は燐光物質中を移動できる場所に位置してもよい。
【００９６】
[0108]  放射性物質９０１は、放射性崩壊の生成物などとして、高エネルギー粒子を放出し得る。放射性崩壊は、α崩壊、β崩壊、γ崩壊、及び／又は自発核分裂を含み得る。高エネルギー粒子は、α粒子（例えば、核子）、β崩壊生成物（例えば、電子、陽電子、ニュートリノなど）、γ線、及び／又はそれらの組み合わせでもよい。高エネルギー粒子は、高運動エネルギーを有し得る。高エネルギー粒子は、放射性物質から放出されると、燐光物質９０２中を移動し、及び燐光物質を励起（例えば、高エネルギー粒子の運動エネルギーを吸収）し得る。その後、燐光物質は、ある時間遅延後に、可視波長（例えば、４００〜７００ｎｍ）などの光エネルギーを放出し得る。幾つかの例では、燐光物質による運動エネルギーの吸収速度は、燐光物質による光エネルギーの放出速度よりも速くなり得る。燐光物質は、電磁スペクトルの他の波長又は波長領域の光エネルギーを放出し得る。本明細書の他の箇所に記載するように、光電池９０３は、そのような燐光物質によって放出された光エネルギーを吸収し、及び電力を生成し得る。光電池によって生成された電力は、光電池のポート９０６などを通って電気負荷９０７へと放電され得る。幾つかの例では、フォトン電池アセンブリ９００は、通常の使用中にエネルギー蓄積システムから抜け出し得る放射を封じ込めるなどのために、放射性物質９０１、燐光物質９０２、及び光電池９０３を収納するための外部ケーシング、シェル、又はコンパートメント９０５を含み得る。コンパートメント９０５は、放射性物質９０１によって放出された放射がコンパートメント９０５から抜け出すことを阻止するように構成され得る。例えば、光電池のポート９０６は、コンパートメント９０５の外部からコンパートメント９０５の内部への唯一の接続であってもよい。
【００９７】
[0109]  例えば、放射性物質９０１は、ストロンチウム９０でもよい。放射性物質の他の例には、限定されないが、トリチウム、ベリリウム１０、炭素１４、フッ素１８、アルミニウム２６、塩素３６、カリウム４０、カルシウム４１、コバルト６０、テクネチウム９９、テクネチウム９９ｍ、ヨウ素１２９、ヨウ素１３１、キセノン１３５、セシウム１３７、ガドリニウム１５３、ビスマス２０９、ポロニウム２１０、ラドン２２２、トリウム２３２、ウラン２３５、プルトニウム２３８、プルトニウム２３９、アメリシウム２４１、及びカリホルニウム２５２が含まれ得る。
【００９８】
[0110]  図１０は、燐光物質中に放射性物質を含むフォトン電池アセンブリを示す。幾つかの例では、フォトン電池アセンブリ１０００は、放射性物質１００２を含む燐光物質１００１を含み得る。例えば、フォトン電池アセンブリ内に挿入された別個の放射性試料を有する（図９などにおける）代わりに、放射性物質は、燐光物質と一体化され得る。例として、ユーロピウムでドープされたアルミン酸ストロンチウムを含む燐光物質は、燐光物質全体に分散されたストロンチウム９０を有するように製造され得る。
【００９９】
[0111]  放射性物質１００２は、放射性崩壊の生成物などとして、燐光物質１００１の内部から高エネルギー粒子を放出し得る。高エネルギー粒子は、放射性物質から放出されると、燐光物質中を移動し、及び燐光物質を励起（例えば、高エネルギー粒子の運動エネルギーを吸収）し得る。その後、燐光物質は、ある時間遅延後に、光エネルギーを放出し得る。幾つかの例では、燐光物質による運動エネルギーの吸収速度は、燐光物質による光エネルギーの放出速度よりも速くなり得る。本明細書の他の箇所に記載するように、光電池１００３は、そのような燐光物質によって放出された光エネルギーを吸収し、及び電力を生成し得る。光電池によって生成された電力は、光電池のポート１００５などを通って電気負荷１００６へと放電され得る。幾つかの例では、フォトン電池アセンブリ１０００は、通常の使用中にエネルギー蓄積システムから抜け出し得る放射を封じ込めるなどのために、放射性物質１００２を含む燐光物質１００１及び光電池１００３を収納するための外部ケーシング、シェル、又はコンパートメント１００４を含み得る。コンパートメント１００４は、燐光物質１００１内から放射性物質１００２によって放出された放射がコンパートメント１００４から抜け出すことを阻止するように構成され得る。例えば、光電池のポート１００５は、コンパートメント１００４の外部からコンパートメント１００４の内部への唯一の接続であってもよい。
【０１００】
[0112]  幾つかの例では、放射性物質を含むフォトン電池アセンブリは、同じ量の一回の充電後に、光源を含むフォトン電池よりも高いエネルギー蓄積容量（例えば、エネルギー密度、電力密度など）を提供し得る。幾つかの例では、フォトン電池アセンブリを含む放射性物質のエネルギー蓄積容量は、フォトン電池アセンブリにおける放射性物質の半減期に依存し得る。例えば、放射性物質は、放射性変換を受ける際に、連続した運動エネルギーをフォトン電池アセンブリに提供し得る。幾つかの例では、放射性物質を含むフォトン電池アセンブリは、放射性物質のほぼ完全な消費後に（例えば、疎漏な運動エネルギーを放出する）廃棄され得る。幾つかの例では、放射性物質は、ほぼ完全な消費後に交換され得る。幾つかの例では、燐光物質及び／又は光電池は、放射性物質のほぼ完全な消費後にリサイクルされ得る（例えば、他のフォトン電池アセンブリにおいて）。幾つかの例では、フォトン電池アセンブリは、放射性物質及び光源の両方を含んでもよく、並びに本明細書の他の箇所に記載した方法（例えば、電力を光源に提供する）を用いて再充電され得る。例えば、放射性物質のほぼ完全な消費後でも、フォトン電池アセンブリは、電気エネルギーの再充電により使用され得る。
【０１０１】
[0113]  図１１は、フォトン電池にエネルギーを蓄積する方法を示す。この方法は、第１のステップ１３０１において、光源から第１の波長（例えば、λ１）の光エネルギーを放出することを含み得る。第１の波長の光エネルギーは、光源の発光面から放出され得る。光源は、ＬＥＤ、レーザ、又はランプなどの人工光源でもよい。光源は、自然光源でもよい。光源は、別のエネルギー蓄積デバイス（例えば、電池、超コンデンサ、コンデンサ、燃料電池など）又は別の電源（例えば、配電網）などの電力源によって電力を供給され得る。
【０１０２】
[0114]  第２のステップ１１０２では、光源に隣接する燐光物質が、第１の波長の光エネルギーを吸収し得る。例えば、燐光物質は、光源の発光面に隣接し得る。幾つかの例では、第１の波長は、紫外線波長（例えば、２０〜４００ｎｍ）でもよい。
【０１０３】
[0115]  次のステップ１１０３では、ある時間遅延後に、燐光物質が、第２の波長（例えば、λ２）の光エネルギーを放出し得る。幾つかの例では、第１の波長は、可視波長（例えば、４００〜７００ｎｍ）でもよい。第２の波長は、第１の波長より大きくてもよい。すなわち、第１の波長の光エネルギーは、第２の波長の光エネルギーよりも高いエネルギーレベルであってもよい。幾つかの例では、燐光物質による第１の波長の光エネルギーの吸収速度は、燐光物質による第２の波長の光エネルギーの放出速度よりも速くなり得る。
【０１０４】
[0116]  次のステップ１１０４では、燐光物質に隣接する光電池は、燐光物質によって放出された第２の波長の光エネルギーを吸収し得る。例えば、光電池の光吸収面は、第２の波長の光エネルギーを吸収し得る。幾つかの例では、光電池は、燐光物質によって放出された波長又は波長領域を吸収するように適応され得る。幾つかの例では、光電池の光吸収面は、燐光物質と光電池との間の境界面表面積の増大を可能にする、対応する凸部によって定義される１つ又は複数の凹部を含み得る。
【０１０５】
[0117]  次のステップ１１０５では、光電池は、第２の波長の吸収された光エネルギーを変換し、及び電力を生成し得る。幾つかの例では、光電池によって生成された電力は、光電池に電気的に結合された電気負荷に電力を供給するために使用され得る。電気負荷は、携帯電話、タブレット、又はコンピュータなどの電子デバイスでもよい。電気負荷は、車、ボート、飛行機、又は電車などの車両でもよい。電気負荷は、電力網でもよい。幾つかの例では、電気負荷が光電池に接続されない場合などに、光電池によって生成された電力の少なくとも一部は、光源に電力を供給するために使用され得る。幾つかの例では、電気負荷が光電池に接続されない場合などに、光電池によって生成された電力の少なくとも一部は、再充電可能電池（例えば、リチウムイオン電池）を充電するために使用され得る。次に、再充電可能電池は、光源に電力を供給するために使用され得る。この方法で使用されるフォトン電池アセンブリは、有益に、少なくとも部分的に自給的であってもよく、及びシステムからのエネルギーの損失を防止し得る（例えば、エネルギーの非効率的な変換によることを除く）。
【０１０６】
[0118]  図１２は、放射性物質を使用したフォトン電池にエネルギーを蓄積する方法を示す。この方法は、第１のステップ１２０１において、放射性物質から高エネルギー粒子を放出することを含み得る。幾つかの例では、放射性物質は、燐光物質に隣接してもよく、その場合、高エネルギー粒子が、燐光物質内に放出又は反射され得る。幾つかの例では、燐光物質は、放射性物質を含んでもよく、その場合、高エネルギー粒子が、燐光物質内から放出される。幾つかの例では、放射性物質は、本明細書で述べた幾つかの他の実施形態における光源（例えば、図１１の方法などにおける）の代用となり得る。幾つかの例では、放射性物質は、光源に追加され得る。放射性物質は、放射性崩壊の生成物などとして、高エネルギー粒子を放出し得る。高エネルギー粒子は、高運動エネルギーを有し得る。高エネルギー粒子は、燐光物質中を移動し得る。
【０１０７】
[0119]  次のステップ１２０２において、燐光物質は、高エネルギー粒子から運動エネルギーを吸収し得る。例えば、燐光物質は、高エネルギー粒子によって励起され得る。次のステップ１２０３では、燐光物質は、ある時間遅延後に、第１の波長（例えば、λ１）の光エネルギーを放出し得る。幾つかの例では、第１の波長は、可視波長（例えば、４００〜７００ｎｍ）でもよい。幾つかの例では、燐光物質による運動エネルギーの吸収速度は、燐光物質による光エネルギーの放出速度よりも速くなり得る。
【０１０８】
[0120]  次のステップ１２０４では、燐光物質に隣接する光電池は、燐光物質によって放出された第１の波長の光エネルギーを吸収し得る。例えば、光電池の光吸収面は、第１の波長の光エネルギーを吸収し得る。幾つかの例では、光電池は、燐光物質によって放出された波長又は波長領域を吸収するように適応され得る。幾つかの例では、光電池の光吸収面は、燐光物質と光電池との間の境界面表面積の増大を可能にする、対応する凸部によって定義される１つ又は複数の凹部を含み得る。
【０１０９】
[0121]  次のステップ１２０５では、光電池は、第１の波長の吸収された光エネルギーを変換し、及び電力を生成し得る。幾つかの例では、光電池によって生成された電力は、光電池に電気的に結合された電気負荷に電力を供給するために使用され得る。電気負荷は、携帯電話、タブレット、又はコンピュータなどの電子デバイスでもよい。電気負荷は、車、ボート、飛行機、又は電車などの車両でもよい。電気負荷は、電力網でもよい。幾つかの例では、電気負荷が光電池に接続されない場合などに、光電池によって生成された電力の少なくとも一部は、再充電可能電池（例えば、リチウムイオン電池）を充電するために使用され得る。この方法で使用されるフォトン電池アセンブリは、有益に、システムからのエネルギーの損失を防止し得る（例えば、エネルギーの非効率的な変換によることを除く）。
【０１１０】
[0122]  図１３は、コンピュータ制御システムを示す。本開示は、本開示の方法を実施するためにプログラミングされたコンピュータ制御システムを提供する。コンピュータシステム１３０１は、本明細書で述べた幾つかの実施形態によるフォトン電池アセンブリの１つ又は複数の回路網を調整するようにプログラミング或いは構成される。例えば、コンピュータシステム１３０１は、コントローラ、マイクロコントローラ、又はマイクロプロセッサでもよい。場合によっては、コンピュータシステム１３０１は、ユーザの電子デバイス、又は電子デバイスに対して遠く離れて位置するコンピュータシステムでもよい。電子デバイスは、携帯電子デバイスでもよい。コンピュータシステム１３０１は、フォトン電池アセンブリとの１つ若しくは複数の電気負荷の接続、フォトン電池アセンブリとの１つ若しくは複数の再充電可能電池の接続、及び／又はフォトン電池アセンブリ内の光電池及び光源の接続を感知することが可能であってもよい。コンピュータシステム１３０１は、１つ又は複数のスイッチコンポーネント（例えば、図４のスイッチ４０９など）又は他の電気コンポーネントを制御するなどによって、異なる電気回路経路（例えば、図４の第１の電気経路４１０など）を完成し、或いはフォトン電池アセンブリ内の、又はフォトン電池アセンブリに関与する異なる回路網を操作することが可能であってもよい。コンピュータシステム１３０１は、直列又は並列に電気的に接続されたフォトン電池アセンブリのそれぞれ又は組み合わせからの電力の流入及び／又は流出を管理することが可能であり、並びに、場合によっては、電源及び／又は電気負荷と個々に又はまとめて電気的にやり取りすることが可能であってもよい。コンピュータシステム１３０１は、フォトン電池からの電力の放電速度及び／又は電気負荷による電力の消費速度を計算することが可能であってもよい。例えば、コンピュータシステムは、そのような計算に基づいて、光電池から放電された電力を光源、外部電池（例えば、リチウムイオン電池）、及び／又は電気負荷に指向させるかどうか、並びにその方法を決定し得る。コンピュータシステムは、フォトン電池の電力入力及び／又は電力出力の電圧又は電流を調節又は調整することが可能であってもよい。コンピュータシステム１３０１は、異なるコンポーネント設定を調節及び／又は調整することが可能であってもよい。例えば、コンピュータシステムは、フォトン電池アセンブリにおける光源によって放出される光の明るさ、強度、色（例えば、波長、周波数など）、脈動周期、又は他の光学特性を調節又は調整することが可能であってもよい。例えば、コンピュータシステムは、フォトン電池に使用される燐光物質のタイプに応じて、光源からの光放出設定を調節するように構成され得る。
【０１１１】
[0123]  例えば、コンピュータシステム１３０１は、フォトン電池アセンブリの異なる充電及び／又は放電機構を調整することが可能であってもよい。コンピュータシステムは、フォトン電池アセンブリの充電を開始するために、光源と電源との間の電気接続をオンにし得る。コンピュータシステムは、フォトン電池アセンブリの充電を停止するために、光源と電源との間の電気接続をオフにし得る。コンピュータシステムは、光電池と電気負荷との間の電気接続をオン又はオフにし得る。幾つかの例では、コンピュータシステムは、フォトン電池アセンブリの充電レベル（又はパーセンテージ）を検出することが可能であってもよい。コンピュータシステムは、いつアセンブリが完全に充電された（若しくはほぼ完全に充電された）か、又は完全に放電された（若しくはほぼ完全に放電された）かを決定することが可能であってもよい。幾つかの例では、コンピュータシステムは、フォトン電池アセンブリの寿命を維持し、及び／又は延ばすなどのために、フォトン電池アセンブリの特定の充電レベル範囲（例えば、５％〜９５％、１０％〜９０％など）を維持することが可能であってもよい（完全な充電又は完全な放電は、寿命を有害に短くし得る）。
【０１１２】
[0124]  コンピュータシステム１３０１は、単一コア若しくはマルチコアプロセッサ、又は並列処理のための複数のプロセッサでもよい中央処理装置（ＣＰＵ、本明細書では、「プロセッサ」及び「コンピュータプロセッサ」とも呼ばれる）を含む。コンピュータシステム１３０１は、メモリ又は記憶場所１３１０（例えば、ランダムアクセスメモリ、読取り専用メモリ、フラッシュメモリ）、電子ストレージユニット１３１５（例えば、ハードディスク）、１つ又は複数の他のシステムと通信するための通信インタフェース１３２０（例えば、ネットワークアダプタ）、並びにキャッシュ、他のメモリ、データストレージ、及び／又は電子ディスプレイアダプタなどの周辺デバイス１３２５も含む。メモリ１３１０、ストレージユニット１３１５、インタフェース１３２０、及び周辺デバイス１３２５は、マザーボードなどの通信バス（実線）によりＣＰＵ１３０５と通信する。ストレージユニット１３１５は、データを保存するためのデータストレージユニット（又はデータリポジトリ）でもよい。コンピュータシステム１３０１は、通信インタフェース１３２０を用いて、コンピュータネットワーク（「ネットワーク」）１３３０と動作可能に結合され得る。ネットワーク１３３０は、インターネット、インターネット及び／又はエクストラネット、又はインターネットと通信するイントラネット及び／又はエクストラネットでもよい。ネットワーク１３３０は、場合によっては、通信ネットワーク及び／又はデータネットワークである。ネットワーク１３３０は、クラウドコンピューティングなどの分散コンピューティングを可能にし得る１つ又は複数のコンピュータサーバを含み得る。場合によってはコンピュータシステム１３０１を用いたネットワーク１３３０は、コンピュータシステム１３０１に結合されたデバイスがクライアント又はサーバとして機能することを可能にし得るピアツーピアネットワークを実施し得る。
【０１１３】
[0125]  ＣＰＵ１３０５は、プログラム又はソフトウェアで具現化され得る機械可読命令のシーケンスを実行し得る。命令は、メモリ１３１０などの記憶場所に保存され得る。後に本開示の方法を実施するようにＣＰＵ１３０５をプログラミング或いは構成し得る命令が、ＣＰＵ１３０５に指向され得る。ＣＰＵ１３０５によって行われる動作の例には、フェッチ、復号、実行、及びライトバックが含まれ得る。
【０１１４】
[0126]  ＣＰＵ１３０５は、集積回路などの回路の一部でもよい。システム１３０１の１つ又は複数の他のコンポーネントが回路に含まれ得る。場合によっては、回路は、特定用途向け集積回路（ＡＳＩＣ）である。
【０１１５】
[0127]  ストレージユニット１３１５は、ドライバ、ライブラリ、及び保存されたプログラムなどのファイルを保存し得る。ストレージユニット１３１５は、例えば、ユーザの好み及びユーザプログラムといったユーザデータを保存し得る。場合によっては、コンピュータシステム１３０１は、イントラネット又はインターネットを介してコンピュータシステム１３０１と通信するリモートサーバ上に位置するなど、コンピュータシステム１３０１の外部にある１つ又は複数の追加のデータストレージユニットを含み得る。
【０１１６】
[0128]  コンピュータシステム１３０１は、ネットワーク１３３０を介して１つ又は複数のローカル及び／又はリモートコンピュータシステムと通信し得る。例えば、コンピュータシステム１３０１は、ネットワーク１３３０内の全てのローカルエネルギー蓄積システムと通信し得る。別の例では、コンピュータシステム１３０１は、単一のアセンブリ内、単一のハウジング内、及び／又は単一のアセンブリスタック内の全てのエネルギー蓄積システムと通信し得る。他の例では、コンピュータシステム１３０１は、ユーザのリモートコンピュータシステムと通信し得る。リモートコンピュータシステムの例には、パーソナルコンピュータ（例えば、ポータブルＰＣ）、スレート若しくはタブレットＰＣ（例えば、Apple（登録商標）のiPad、Samsung（登録商標）のGalaxy Tab）、電話、スマートフォン（例えば、Apple（登録商標）のiPhone、Android対応デバイス、Blackberry（登録商標））、又は携帯情報端末が含まれる。ユーザは、ネットワーク１３３０を介してコンピュータシステム１３０１にアクセスし得る。
【０１１７】
[0129]  本明細書に記載するような方法は、例えばメモリ１３１０又は電子ストレージユニット１３１５上などのコンピュータシステム１３０１の電子ストレージ場所に保存された機械（例えば、コンピュータプロセッサ）実行可能コードとして実施され得る。機械実行可能コード又は機械可読コードは、ソフトウェアの形態で提供され得る。使用中は、コードは、プロセッサ１３０５によって実行され得る。場合によっては、コードは、ストレージユニット１３１５から読み出され、及びプロセッサ１３０５によって直ぐにアクセスできるようにメモリ１３１０に保存され得る。状況によっては、電子ストレージユニット１３１５は除外されてもよく、及び機械実行可能命令がメモリ１３１０に保存される。
【０１１８】
[0130]  コードは、事前コンパイルされ、及びコードを実行するように適応させたプロセッサを有する機械と共に使用するために構成されてもよく、又は実行時にコンパイルされてもよい。コードは、コードが事前コンパイル様式又はコンパイル時様式で実行することを可能にするように選択され得るプログラミング言語で供給され得る。
【０１１９】
[0131]  コンピュータシステム１３０１などの本明細書で提供されるシステム及び方法の態様は、プログラミングで具現化され得る。この技術の様々な態様は、一般的に、あるタイプの機械可読媒体で運ばれる、又は具現化される機械（若しくはプロセッサ）実行可能コード及び／又は関連データの形態の「プロダクト」又は「製品」であると考えられ得る。機械実行可能コードは、メモリ（例えば、読取り専用メモリ、ランダムアクセスメモリ、フラッシュメモリ）又はハードディスクなどの電子ストレージユニットに保存され得る。「ストレージ」型媒体は、ソフトウェアプログラミングのためにいつでも非一時的ストレージを提供し得る、様々な半導体メモリ、テープドライブ、及びディスクドライブなどのコンピュータ若しくはプロセッサなどの有形メモリ、又はそれらの関連モジュールの一部又は全てを含み得る。ソフトウェアの全て又は部分は、時に、インターネット又は様々な他の通信ネットワークを介して通信され得る。このような通信は、例えば、あるコンピュータ又はプロセッサから別のコンピュータ又はプロセッサへ、例えば、管理サーバ又はホストコンピュータからアプリケーションサーバのコンピュータプラットフォームへのソフトウェアのロードを可能にし得る。従って、ソフトウェア要素を運び得る別のタイプの媒体には、有線及び光陸上通信線ネットワークにより、並びに様々なエアリンク上で、ローカルデバイス間の物理的インタフェース全体で使用されるなどの光波、電波、及び電磁波が含まれる。有線若しくは無線リンク、又は光リンクなどの上記波を運ぶ物理的要素は、ソフトウェアを運ぶ媒体とも見なされ得る。本明細書において、非一時的な有形「ストレージ」媒体に限定されない限り、コンピュータ又は機械「可読媒体」などの用語は、実行のためにプロセッサに命令を提供することに関与するあらゆる媒体を指す。
【０１２０】
[0132]  従って、コンピュータ実行可能コードなどの機械可読媒体は、限定されないが、有形ストレージ媒体、搬送波媒体、又は物理的伝送媒体を含む多くの形態をとり得る。不揮発性ストレージ媒体には、例えば、図面に示されるデータベースなどを実施するために使用され得るなどの、何れかのコンピュータにおける何れかのストレージデバイスなどの光又は磁気ディスクが含まれる。揮発性ストレージ媒体には、そのようなコンピュータプラットフォームの主メモリなどのダイナミックメモリが含まれる。有形伝送媒体には、同軸ケーブル、コンピュータシステム内のバスを含む線を含む銅線及び光ファイバが含まれる。搬送波伝送媒体は、無線周波（ＲＦ）データ通信及び赤外線（ＩＲ）データ通信中に生成されるような電気信号若しくは電磁信号、又は音波若しくは光波の形態をとり得る。従って、コンピュータ可読媒体の一般的形態には、例えば、フロッピーディスク、フレキシブルディスク、ハードディスク、磁気テープ、その他の磁気媒体、ＣＤ−ＲＯＭ、ＤＶＤ、若しくはＤＶＤ−ＲＯＭ、その他の光媒体、パンチカード穿孔テープ、孔のパターンを有したその他の物理的ストレージ媒体、ＲＡＭ、ＲＯＭ、ＰＲＯＭ、及びＥＰＲＯＭ、フラッシュＥＰＲＯＭ、その他のメモリチップ若しくはカートリッジ、データ若しくは命令を運ぶ搬送波、そのような搬送波を運ぶケーブル若しくはリンク、又はコンピュータがプログラミングコード及び／又はデータを読み取り得るその他の媒体が含まれる。これらのコンピュータ可読媒体の形態の多くは、実行のためにプロセッサに１つ又は複数の命令の１つ又は複数のシーケンスを運ぶことに関与し得る。
【０１２１】
[0133]  コンピュータシステム１３０１は、例えばユーザ制御オプション（例えば、充電の開始又は終了、電気負荷への電力供給の開始又は停止、電力を自動充電に戻すなど）を提供するためのユーザインタフェース（ＵＩ）１３４０を含む電子ディスプレイ１３３５を含んでもよく、又はそのような電子ディスプレイ１３３５と通信してもよい。ＵＩの例には、限定されないが、グラフィカルユーザインタフェース（ＧＵＩ）及びウェブベースユーザインタフェースが含まれる。
【０１２２】
[0134]  本開示の方法及びシステムは、１つ又は複数のアルゴリズムとして実施され得る。アルゴリズムは、中央処理装置１３０５による実行時に、ソフトウェアとして実施され得る。例えば、アルゴリズムは、例えば、フォトン電池アセンブリとの１つ若しくは複数の電気負荷の接続、フォトン電池アセンブリとの１つ若しくは複数の再充電可能電池の接続、及び／又はフォトン電池アセンブリ内の光電池及び光源の接続の感知に基づいて、フォトン電池アセンブリ又はフォトン電池アセンブリのスタックの回路網を変更し得る。アルゴリズムは、１つ又は複数のスイッチコンポーネント（例えば、図４のスイッチ４０９など）又は他の電気コンポーネントを制御し、又は指向させるなどによって、フォトン電池アセンブリ内の、又はフォトン電池アセンブリに関与する異なる電気回路経路（例えば、図４の第１の電気経路４１０など）を完成することが可能であってもよい。アルゴリズムは、直列又は並列に電気的に接続されたフォトン電池アセンブリのそれぞれ又は組み合わせからの電力の流入及び／又は流出を管理することが可能であり、並びに、場合によっては、電源及び／又は電気負荷と個々に又はまとめて電気的にやり取りすることが可能であってもよい。
【０１２３】
[0135]  本発明の好ましい実施形態を本明細書に図示及び説明したが、このような実施形態は、単なる例として提供されるものであることが当業者には明らかとなるであろう。本発明が本明細書内に提供される具体例によって限定されることは意図されていない。本発明は、上述の明細書に関連して説明されているが、本明細書の実施形態の記載及び図示は、限定的な意味で解釈されることを目的としたものではない。本発明から逸脱することなく、当業者は多数のバリエーション、変更、及び代用を思い付くであろう。さらに、本発明のあらゆる態様は、様々な条件及び変数に依存する、本明細書に記載の具体的な描写、構成、又は相対的比率に限定されないことが理解されるものとする。本明細書に記載した本発明の実施形態の様々な代替形態が、本発明の実施に用いられ得ることが理解されるべきである。従って、本発明があらゆるそのような代替形態、変更形態、バリエーション、又は均等物もカバーすることが企図される。以下の特許請求の範囲が本発明の範囲を定義すること、並びに、特許請求の範囲及びそれらの均等物の範囲内の方法及び構造が、それによってカバーされることが意図される。
【図１】
2020523799.tif 000003
【図２】
2020523799.tif 000004
【図３】
2020523799.tif 000005
【図４】
2020523799.tif 000006
【図５】
2020523799.tif 000007
【図６】
2020523799.tif 000008
【図７】
2020523799.tif 000009
【図８】
2020523799.tif 000010
【図９】
2020523799.tif 000011
【図１０】
2020523799.tif 000012
【図１１】
2020523799.tif 000013
【図１２】
2020523799.tif 000014
【図１３】
2020523799.tif 000015
【国際調査報告】
2020523799.tif 000016